(57)【要約】【課題】  シールドの取付機構が簡単な構成であるとともに、シールドを進退させた場合であってもシールドが緩むことがなく強固に固定されるヘルメットを提供する。【解決手段】  帽体１０と帽体１０の外側に固定されたバイザー２０とを有し、帽体１０とバイザー２０との間に進退可能なシールド３０が配置されたヘルメットであって、帽体１０には、帽体１０の外側に向けて突出していてシールド３０を回転可能に保持する支軸１３が設けられ、支軸１３には、バイザー２０の内面に設けた係合部２２と回転不能に係合可能な係止部４６を有する連結部材４０が取り付けられたことを特徴とする。【選択図】  図５
2006336168.tif 000002
【特許請求の範囲】
【請求項１】
帽体と該帽体の外側に固定されたバイザーとを有し、前記帽体と前記バイザーとの間に進退可能なシールドが配置されたヘルメットであって、
前記帽体には、前記帽体の外側に向けて突出していて前記シールドを回転可能に保持する支軸が設けられ、前記支軸には、前記バイザーの内面に設けた係合部と回転不能に係合可能な係止部を有する連結部材が取り付けられたことを特徴とするヘルメット。
【請求項２】
前記支軸には、前記帽体の内側から外側まで貫通する貫通孔が穿設され、
前記連結部材には、前記貫通孔に嵌挿される軸部が設けられるとともに、前記軸部の一端側に接続し前記シールドの外側に配置される外側部材と、前記軸部の他端側に接続し前記帽体の内側に配置される内側部材とが備えられ、
前記軸部の外周面には少なくとも軸方向に延びる嵌合部が設けられ、前記貫通孔の内周面には前記嵌合部と嵌合可能な被嵌合部が形成された請求項１に記載のヘルメット。
【請求項３】
前記帽体と前記シールドには、該シールドの回転による進退範囲を規制する規制機構と、前記シールドを前記帽体と前記バイザーとの間に収容した後退位置と前記帽体から突出した進出位置とで選択的に固定する固定機構とが設けられた請求項１または請求項２に記載のヘルメット。
【請求項４】
前記外側部材には、筒状をなして内周面に雌ネジ部が形成された前記軸部と、前記シールドを押圧する押圧部と、多角形平板状をなす前記係止部とが設けられ、
前記内側部材には、前記雌ネジ部に螺着される雄ネジ部が形成された請求項１から請求項３のいずれかに記載のヘルメット。
【発明の詳細な説明】
【技術分野】
【０００１】
この発明は、概略半球状をなす帽体と該帽体の外側に配置されたバイザーとを有し、これら帽体とバイザーとの間に進退可能なシールドが配置されたヘルメットに関する。
【背景技術】
【０００２】
前述のような構成とされたヘルメットとしては、自動二輪車用ヘルメットや警備用ヘルメット等がある。これらのヘルメットは状況に応じてシールドを後退させた状態や進出させた状態で使用されるものであり、例えば警備用ヘルメットは、通常時にはシールドを後退させた状態で装着して視認性を向上させておき、警備時にはシールドを進出させた状態で装着して顔面等を保護するように使用される。
【０００３】
このようにバイザーとシールドとを備えたヘルメットとしては、例えば特許文献１および特許文献２に開示されたものが提供されている。
特許文献１および特許文献２に開示されたヘルメットは、バイザーおよびシールドにそれぞれ取付孔を設けておき、これら取付孔にバイザーの外側からネジ部材を挿通して、帽体にねじ込み、シールドとバイザーとを帽体に取り付けたものである。
【０００４】
この構成のヘルメットでは、ネジ部材を回転軸としてシールドを回転させることでシールドを進退できるものである。また、特許文献２に開示されたヘルメットでは、ひとつのネジ部材によってバイザーとシールドとを帽体に取り付けているので、部品点数が少なくヘルメットの構成が簡単である。
【特許文献１】特開昭６３−２８８２０７号公報
【特許文献２】特開平０４−１４６２０５号公報
【発明の開示】
【発明が解決しようとする課題】
【０００５】
ところで、前述したヘルメットでは、バイザーとシールドとを帽体に取りつけるネジ部材がバイザーの外側に露呈されているので、ヘルメットの外側からの衝撃がこのネジ部材に直接加わった際に、ネジ部材が緩んでしまうおそれがあった。ネジ部材が緩んでしまった場合には、シールドが十分に固定されずにシールドがぐらついたり衝撃で外れたりするといった問題があった。また、シールドを後退させた状態で使用しているときに、不意にシールドが落ちてくるおそれがあった。
また、ネジ部材の緩み防止のためにネジ部材に外部カバーや緩み防止部材を用いた場合には、部品点数が増えてヘルメットが複雑な構成となり、ヘルメットの製造コストが増加するといった問題があった。
【０００６】
本発明は、このような実情に鑑みてなされたものであって、シールドの取付機構が簡単な構成であるとともに、シールドを進退させた場合であってもシールドが緩むことがなく強固に固定されるヘルメットを提供することを目的とする。
【課題を解決するための手段】
【０００７】
本発明に係るヘルメットは、帽体と該帽体の外側に固定されたバイザーとを有し、前記帽体と前記バイザーとの間に進退可能なシールドが配置されたヘルメットであって、前記帽体には、前記帽体の外側に向けて突出していて前記シールドを回転可能に保持する支軸が設けられ、前記支軸には、前記バイザーの内面に設けた係合部と回転不能に係合可能な係止部を有する連結部材が取り付けられたことを特徴とする。
【発明の効果】
【０００８】
本発明に係るヘルメットでは、帽体に、外側に向けて突出した支軸が形成され、この支軸によってシールドを回転可能に保持できるので、シールドを進退させる際に支軸を回転軸としてシールドを回転でき、シールドの回転運動が連結部材に伝わることが防止され、シールドの緩みを抑制できる。
しかも、連結部材に係止部が設けられるとともに、バイザー内面に係止部と係合可能な係合部が設けられているので、連結部材がバイザーの内側に配置されることになり、外側からの衝撃が直接連結部材に伝わることがなく、衝撃によって連結部材が緩むおそれがない。また、係止部と係合部とが回転不能に係合されているので、連結部材が回転することを確実に防止でき、シールドの緩みを確実に防止できる。
また、連結部材に別途外部カバーや緩み防止部材を備える必要がないので、連結部材を簡単な構成とすることができ、このヘルメットを低コストで製造することができる。
【発明を実施するための最良の形態】
【０００９】
本発明の実施形態であるヘルメットは、前記支軸に、前記帽体の内側から外側まで貫通する貫通孔が穿設され、前記連結部材には、前記貫通孔に嵌挿される軸部が設けられるとともに、前記軸部の一端側に接続し前記シールドの外側に配置される外側部材と、前記軸部の他端側に接続し前記帽体の内側に配置される内側部材とが備えられ、前記軸部の外周面には少なくとも軸方向に延びる嵌合部が設けられ、前記貫通孔の内周面には前記嵌合部と嵌合可能な被嵌合部が形成された構成とされている。
【００１０】
この構成のヘルメットでは、支軸に設けられた貫通孔に軸部が嵌挿され、この軸部の一端側にシールドの外側に配置される外側部材が設けられ、軸部の他端側に帽体の内側に配置される内側部材が設けられているので、これら内側部材と外側部材とによって、シールドと帽体とを挟持することができる。
また、軸部の外周面に少なくとも軸方向に延びる、つまり周方向ではない方向に延びる嵌合部が設けられ、支軸に設けられた貫通孔の内周面に嵌合部と嵌合可能な被嵌合部が形成されているので、連結部材が回転することを嵌合部と被嵌合部との嵌合によって確実に防止できる。よって、シールドの回転運動が連結部材に伝達された場合でも連結部材が回転することがなく、シールドが緩むことをさらに確実に防止できる。
【００１１】
また、前記帽体と前記シールドに、該シールドの回転による進退範囲を規制する規制機構と、前記シールドを前記帽体と前記バイザーとの間に収容した後退位置と前記帽体から突出した進出位置とで選択的に固定する固定機構とを設けることにより、シールドを後退させた状態で使用する際に不意にシールドが落ちてくることを防止できる。同様に、シールドを進出させた状態で使用する場合でも、シールドがぐらつくことを防止できる。また、シールドの進退範囲が規制されているので、シールドが落下することを防止できる。
【００１２】
さらに、前記外側部材に、筒状をなして内周面に雌ネジ部が形成された前記軸部と、前記シールドを押圧する押圧部と、多角形平板状をなす前記係止部とを設け、前記内側部材に前記雌ネジ部に螺着される雄ネジ部を形成することにより、内側部材の雄ネジ部を外側部材の雌ネジ部にねじ込むことで帽体とシールドとを強固に挟持することができる。また、外側部材に多角形平板状をなす係止部が設けられているので、この係止部とバイザー内面の係合部との係合によって外側部材が回転されることを防止でき、シールドの緩みを確実に防止することができる。
【実施例】
【００１３】
以下、本発明の実施例によるヘルメットを添付した図面を参照して説明する。図１から図６に本発明の実施例であるヘルメットを示す。このヘルメットは例えば警備用に使用されるものであり、シールドを進出させた状態で目の部分を保護できるものである。
ヘルメットは、概略半球状に形成された帽体１０と、この帽体１０から前方に突出するように配置されるバイザー２０と、帽体１０とバイザー２０との間に進退可能に配置されるシールド３０と、これらバイザー２０とシールド３０とを帽体１０に取り付けるネジ部材４０とで概略構成されている。
【００１４】
帽体１０は、図７に示すように後方側（図７において右側）が下側に向けて張り出した概略半球状のドーム型を呈しており、例えばＡＢＳ樹脂（アクリロニトリルブタジエンスチレン共重合体）を射出成形することによって成形されている。
帽体１０がなすドーム型の内側部分には、帽体１０内部に配置されるハンモックＨを取り付けるための取付凹部１１が複数形成されており、本実施例では図１２に示すように周方向で４ヶ所形成されている。
また、帽体１０の前方側から側面にかけて、図７に示すように前記バイザー２０を掛止するための掛止凹部１２が複数形成されており、本実施例では全体で５ヶ所形成されている。
【００１５】
この帽体１０の側面の前方側には、帽体１０の外側に向けて突出する支軸１３が設けられている。この支軸１３は、帽体１０がなす半球の中心よりも前方側に配置され、帽体１０の径方向外側に向けて延びるように形成されている。この支軸１３には帽体１０の内側から外側まで貫通した貫通孔が穿設されており、貫通孔の内周面には、内側に突出して貫通孔の延びる方向に沿って延びる突条部１４が形成されており、本実施例では、この突条部１４が円周方向に１２０°等間隔で３本配置されている。また、支軸１３の外周面は滑らかな円周面とされている。
【００１６】
支軸１３の前方側（図７において左側）には、円柱状のガイドピン１５が帽体１０の外側に突出するように設けられており、図５に示すようにこのガイドピン１５の帽体１０外表面からの突出高さは、支軸１３の突出高さよりも大きくなるように形成されている。
また、支軸１３の上方側には、帽体１０の外側に向けて凸曲面状に突出した突起部１６が２個並列に設けられており、前方側に位置する突起部１６が第１突起部１６Ａとされ、後方側に位置する突起部１６が第２突起部１６Ｂとされ、これら第１突起部１６Ａおよび第２突起部１６Ｂは、支軸１３の外周面がなす円の中心を同じく中心とした円周上に配置されている。
また、これら支軸１３とガイドピン１５と突起部１６とは、帽体１０の左側側面および右側側面に設けられており、左右対称に配置されている。
【００１７】
この帽体１０の前方側に配設されるバイザー２０は、例えばポリカーボネイトで構成されて半透明に形成され、図８に示すように前方側（図８において右側）及び上方側に向けて凸となる凸曲面板状に形成されている。より具体的には、バイザー２０の中央部分が前方側へ大きく突出するとともに前方側へ向かうにしたがい漸次下側へ向かうように傾斜されており、バイザー２０の両端部が後方側へ後退するとともに後方側に向かうにしたがい漸次高さが低くなるような形状とされているのである。
ここで、バイザー２０の帽体１０と当接する後端面２１は、帽体１０の外表面に合わせた曲面状に形成されている。
【００１８】
バイザー２０の両端面の内面には、図８に示すように正六角形のひとつの頂点を上方に向けて下方に位置する２辺を除去した係合凹部２２が形成されており、この係合凹部２２は、バイザー２０内面に対向する側面２２Ａを有している。
【００１９】
この係合凹部２２のバイザー２０内面には、係合方向に延びる複数（本実施例では図８に示すように３本）のリブ２３が形成され、このリブ２３のリブ面が前記側面２２Ａに対して平行となるように、リブ２３のバイザー２０内面からの高さが調整されている。本実施例では、バイザー２０が下側に向かうにしたがい漸次広がるような形状とされているので、リブ２３のバイザー２０内面からの高さは、バイザー２０の下側では高くなり上側に向かうにしたがい漸次低くなるように形成されているのである。
また、バイザー２０の後端面２１には、帽体１０の掛止凹部１２に掛止される爪部２４が複数形成されている。
【００２０】
これら帽体１０とバイザー２０との間に配置されるシールド３０は、例えばポリカーボネイトで構成されて透明に形成され、前方側に向けて凸となる凸曲面板状に形成されたシールド本体３１と、このシールド本体３１の両端部に設けられた取付部３２とを有する。  ここで、シールド３０がなす凸曲面は、シールド３０を進出させた状態において帽体１０の外表面と当接する部分の曲面の曲率に合わせた形状とされている。
【００２１】
この取付部３２には、帽体１０に設けられた支軸１３の外周面と略同径の内周面を有する取付孔３３がそれぞれ形成されている。この取付孔３３の前方側には、帽体１０に設けられたガイドピン１５が摺動可能なガイド溝３４が形成されており、このガイド溝３４は、前記取付孔３３の中心を同じく中心とした円弧状に延びるように形成されている。
また、取付孔３３の上方には、帽体１０に設けられた突起部１６が嵌合可能なロック孔３５が２個並列に形成されており、前方側に位置するロック孔３５が第１ロック孔３５Ａとされ、後方側に位置するロック孔３５が第２ロック孔３５Ｂとされている。これら第１ロック孔３５Ａおよび第２ロック孔３５Ｂは、取付孔３３の中心を同じく中心とした円周上に配置されている。
【００２２】
シールド３０を帽体１０に取り付けるネジ部材４０は、シールド３０の外側に位置する外側部材４１と帽体１０の内側に配置される内側部材４７とで構成されている。
外側部材４１は、図９および図１０に示すように多段軸状に形成され、最も先端側（図１０において下側）に配置された概略円筒状をなす軸部４２と、この軸部４２より一段大径とされた押圧部４５と、この押圧部４５の後端側（図１０において上側）に配置されて押圧部４５よりも大径の係止部４６とを有する。
【００２３】
係止部４６は、概略正六角形平板状に形成されており、バイザー２０の係合凹部２２と係合可能な形状とされている。
また、押圧部４５の軸部４２側を向く面は、フラットな平面状に形成され、シールド３０を帽体１０側に押圧する押圧面４５Ａとされている。
概略円筒状をなす軸部４２の内周面には雌ネジ部４３が形成されており、軸部４２の外周面には軸部４２が延びる方向に沿って延びる溝部４４が複数形成されており、本実施例では、円周方向に１２０°間隔で３つの溝部４４が配置されている。
【００２４】
内側部材４７は、図５および図６に示すように先端側が雄ネジ部４８とされ、この雄ネジ部４８の後端側に雄ネジ部４８よりも一段大径とされた大径部４９が形成されており、この大径部４９の雄ネジ部４８側の面はフラットな平面状に形成され、帽体１０の内面を押圧する押圧面４９Ａとされている。
【００２５】
これら、シールド３０とバイザー２０とがネジ部材４０によって以下のように取り付けられることによりヘルメットが構成されることになる。
まず、シールド３０を進出させた状態となる位置でシールド３０の内周面を帽体１０の外表面に当接させ、シールド３０の取付孔３３を帽体１０の支軸１３に嵌め込む。すると、図２および図４に示すようにシールド３０は、帽体１０から突出されたガイドピン１５がシールド３０のガイド溝３４の上端部に挿入され、かつ、シールド３０の第２ロック孔３５Ｂが帽体１０の第１突起部１６Ａと係合するように配置される。
【００２６】
次に、外側部材４１の軸部４２が、シールド３０の外側から支軸１３に穿設された貫通孔に挿入される。ここで、軸部４２の外周面に形成された３本の溝部４４と支軸１３の内周面に形成された突条部１４とが嵌合され、係止部４６がなす正六角形面のひとつの頂点が上方を向くように配置される。
帽体１０の内側から内側部材４７が挿入されて内側部材４７の雄ネジ部４８が軸部４２の雌ネジ部４３に螺着され、この内側部材４７をねじ込むことで、外側部材４１の押圧部４５の押圧面４５Ａがシールド３０を帽体１０側へ押圧し、内側部材４７の大径部４９の押圧面４９Ａが帽体１０をシールド３０側に押圧し、図５および図６に示すように、これら押圧面４５Ａ、４９Ａが互いに接近してシールド３０と帽体１０とを挟持することになる。
【００２７】
この状態で、外側部材４１に設けられた正六角平板状をなす係止部４６に、バイザー２０の内側に設けられた係合凹部２２が係合されることによりバイザー２０が取り付けられる。ここで、バイザー２０の内側に設けられた係合凹部２２には３本のリブ２３が形成されており、この３本のリブ２３のリブ面とバイザー２０内面に対向する側面２２Ａとの間に係止部４６が挟入されてバイザー２０が取り付けられるのである。
【００２８】
また、バイザー２０の後端面２１に形成された爪部２４が帽体１０の掛止凹部１２に掛止されることによりバイザー２０が帽体１０に固定される。
ここで、図５に示すように、帽体１０から突出されたガイドピン１５はバイザー２０の内面に接触しない高さとされるとともに、ガイドピン１５とバイザー２０内面との隙間が、シールド３０の厚みよりも小さくなるように設定されている。
【００２９】
このように構成されたヘルメットは、帽体１０の内側に設けられた取付凹部１１にハンモックＨが取り付けられ、このハンモックＨの中に頭部が装入されるようにして装着され、シールド３０を状況に応じて進退させて使用する。
シールド３０を後退させた状態では、帽体１０に設けられたガイドピン１５がシールド３０のガイド溝３４の下端部に配置され、シールド３０を進出させた状態ではガイドピン１５がシールド３０のガイド溝３４の上端部に配置されることになる。つまり、これらガイドピン１５とガイド溝３４とが、シールド３０の進退範囲を規制する規制機構５１を構成しているのである。
【００３０】
ここで、シールド３０を後退させた状態では、第１ロック孔３５Ａが第１突起部１６Ａに係合されるとともに、第２ロック孔３５Ｂが第２突起部１６Ｂに係合することになり、シールド３０が２箇所で固定されることになる。さらに、本実施例では、シールド３０が、シールド３０を進出させた状態における帽体１０の外表面の曲率に合わせた凸曲面状に形成されるとともに、支軸１３が帽体１０の中心よりも前方側に設けられているので、シールド３０を後退させた状態では、シールド３０が接触する帽体１０の外表面の曲率がシールド３０の凸曲面の曲率よりも小さくなり、シールド３０の両端部を押し広げようとする力が働くことになる。ここで、本実施例では、シールド３０が弾性体であるポリカーボネイトで構成されているとともに、シールド３０の両端部に設けられた取付部３２を外側部材４１の押圧面４５Ａで押圧しているので、シールド３０の弾性力と外側部材４１での押圧とによってシールド３０が強固に帽体１０側に押し付けられ、ロック孔３５と突起部１６との係合が確実に行われて、シールド３０が強固に固定される。
【００３１】
一方、シールド３０を後退させた状態では、シールド３０のガイド溝３４の上端部に配置されたガイドピン１５と第２ロック孔３５Ｂと係合した第１突起部１６Ａによってシールド３０が固定される。
つまり、帽体１０に設けられた第１突起部１６Ａおよび第２突起部１６Ｂと、シールド３０に設けられた第１ロック孔３５Ａおよび第２ロック孔３５Ｂとが、シールド３０を後退位置と進出位置とで選択的に固定する固定機構５２を構成しているのである。
【００３２】
本実施例に係るヘルメットによれば、シールド３０を取付孔３３の中心を回転中心として回転させて進退させた際に、シールド３０の取付孔３３の内周面が支軸１３の外周面と摺動するので、シールド３０の回転運動がネジ部材４０に伝わることが防止され、ネジ部材４０が回転することを防止できる。
さらに、外側部材４１には正六角形平板状をなす係止部４６が設けられ、この係止部４６にバイザー２０の内側に形成された係合凹部２２が係合されるので、外側部材４１が回転することを係合凹部２２と係止部４６との係合により防止でき、シールド３０が緩むことを確実に防止できる。
しかも、外側部材４１の軸部４２の外周面に形成された溝部４４が支軸１３の内周面に形成された突条部１４に嵌挿されているので、外側部材４１の回転をこの溝部４４と突条部１４との嵌合によりさらに確実に防止できる。
【００３３】
このように、ネジ部材４０の回転を防止する手段が複数設けられているので、シールド３０の回転運動によってネジ部材４０が回転せず、シールド３０が緩むことが確実に防止され、シールド３０がぐらついたり、衝撃によってはずれたりするトラブルを未然に防止することができる。
また、ネジ部材４０に緩み防止部材を別途設ける必要がなく、ネジ部材４０の部品点数を少なくして簡単な構造とすることができ、このヘルメットを低コストで製造することができる。
【００３４】
また、ネジ部材４０がバイザー２０の内側に配置されることになるので、ヘルメットの外側からの衝撃がネジ部材４０に直接伝わらず、衝撃によるネジ部材４０の緩みを防止することができるとともに、ネジ部材４０を保護するための外部カバーが不要となる。
また、外側からネジ部材４０が視認しにくくなるので、意匠性に優れたヘルメットを提供することができる。
【００３５】
ここで、バイザー２０の係合凹部２２に、係合方向に延びる複数（本実施例では３本）のリブ２３が設けられ、このリブ２３のリブ面が係合凹部２２のバイザー２０内面に対向する側面２２Ａと平行となるようにリブ２３高さが調整されているので、ネジ部材４０の係止部４６とバイザー２０の係合凹部２２との係合を確実にできるとともに、これらの係合強度を十分に確保することができる。また、３本のリブ面と係止部４６材とが接触することになり、バイザー２０を安定して取り付けることができる。
【００３６】
また、シールド３０を後退位置と進出位置とで選択的に固定する固定機構５２が設けられているので、シールド３０を強固に固定した状態で使用でき、使用中にシールド３０が落ちてきたり、ぐらついたりすることを防止できる。
さらに、シールド３０を後退させた状態では、第１突起部１６Ａと第１ロック孔３５Ａおよび第２突起部１６Ｂと第２ロック孔３５Ｂとの係合と、シールド３０の弾性力と、ネジ部材４０での押圧力とによって、シールド３０が強固に固定されているので、ヘルメットの使用中に不意にシールド３０が落下することがない。
【００３７】
また、シールド３０の進退範囲を規制する規制機構５１が設けられるとともに、規制機構５１を構成するガイドピン１５とバイザー２０内面との間の隙間が、シールド３０の厚みよりも小さくなるように設定されているので、ガイドピン１５がガイド溝３４から外れてしまうことがなく、シールド３０が外れて落下することを確実に防止でき、シールド３０の進退を安定して行うことができる。
【００３８】
以上、本発明の実施例によるヘルメットについて説明したが、本発明は前記した実施例に限定されるものではなく、その趣旨を逸脱しない範囲で適宜変更可能である。例えば、前記の実施例では、シールド３０を目の部分を保護する形状のもので説明したが、これに限定されることはなく、鼻の部分まで保護できるものや顔面全体を防護できる形状のものであってもよい。また、警備用ヘルメットではなく、自動二輪車用ヘルメットなどであっても良い。
【００３９】
また、支軸１３の内周面の被嵌合部として突条部１４を設け、外側部材４１の軸部４２の外周面に嵌合部として溝部４４を設けたもので説明したが、これに限定されることはなく、例えば支軸１３に穿設された貫通孔を断面四角形孔とし、軸部４２をこの四角形孔に嵌合可能な四角柱状としたものでもよく、外側部材４１の回転を防止できるものであれば良い。
また、バイザー２０内側の係合凹部２２に３本のリブ２３を設けたもので説明したが、これに限定されることはなく、リブ２３がないものであっても良い。ただし、リブ２３を複数設けたものでは、リブ２３の高さを調整することで、係合凹部２２と係止部４６との係合強度や係合のし易さなどを簡単に調整できるので、本実施例のような構成とすることが好ましい。
【図面の簡単な説明】
【００４０】
【図１】本実施例に係るヘルメットのシールドを後退させた状態での側面図である。
【図２】図１のヘルメットのシールドを進出状態での側面図である。
【図３】図１のヘルメットの側面拡大図である。
【図４】図２のヘルメットの側面拡大図である。
【図５】図１におけるＸ−Ｘ断面図である。
【図６】図１におけるＹ−Ｙ断面図である。
【図７】図１および図２のヘルメットを構成する帽体の斜視図である。
【図８】図１および図２のヘルメットを構成するバイザーの斜視図である。
【図９】図１および図２のヘルメットを構成するネジ部材（外側部材）の正面図である。
【図１０】図９のネジ部材（外側部材）の側面図である。
【図１１】図１０におけるＺ−Ｚ断面図である。
【図１２】図１のヘルメットにハンモックを付けた状態を示す底面図である。
【符号の説明】
【００４１】
１０  帽体
１３  支軸
１４  突条部（被嵌合部）
２０  バイザー
２２  係合凹部（係合部）
３０  シールド
４０  ネジ部材（連結部材）
４１  外側部材
４２  軸部
４３  雌ネジ部
４４  溝部（嵌合部）
４６  係止部
４７  内側部材
４８  雄ネジ部
５１  規制機構
５２  固定機構
【図１】
2006336168.tif 000003
【図２】
2006336168.tif 000004
【図３】
2006336168.tif 000005
【図４】
2006336168.tif 000006
【図５】
2006336168.tif 000007
【図６】
2006336168.tif 000008
【図７】
2006336168.tif 000009
【図８】
2006336168.tif 000010
【図９】
2006336168.tif 000011
【図１０】
2006336168.tif 000012
【図１１】
2006336168.tif 000013
【図１２】
2006336168.tif 000014